(57)【要約】【課題】床ユニットを移動させることによって、フラットな広い床面を得ることができるとともに、建物内の居住面積を狭めることのない床構造を提供する。【解決手段】床２０に隣接して該床２０と平面形状が等しい土間床１５が設けられ、床２０は、床本体２１と、この床本体２１の床面２１ａに並置された複数の床ユニット２２で構成されたユニット床２３とを備え、床ユニット２２の厚さは、床本体２１の床面２１ａと土間床１５の床面１５ａとの段差にほぼ等しくなっているので、複数の床ユニット２２を土間床１５の床面１５ａに並置することによって、フラットな広い床面を得ることができる。また、床ユニット２２は土間床１５の床面１５ａに並置されるので、建物内の居住面積を狭めることもない。【選択図】図２
2010189946.tif 000002
【特許請求の範囲】
【請求項１】
床に隣接して、この床より低くかつ該床と平面形状が等しい土間床が設けられており、
前記床は、床本体と、この床本体の床面に並置された複数の床ユニットで構成されたユニット床とを備えており、
前記床ユニットの厚さは、前記床本体の床面と前記土間床の床面との段差にほぼ等しくなっていることを特徴とする床構造。
【請求項２】
請求項１に記載の床構造において、
前記ユニット床の外周を取り囲むようにして框材が設けられており、前記ユニット床の外周部を構成する前記床ユニットは前記框材に係脱可能に係合していることを特徴とする床構造。
【請求項３】
請求項２に記載の床構造において、
前記ユニット床が平面視四角形状となっており、
このユニット床の平面視における外周の四辺にそれぞれ前記框材が設けられており、
互い直交する框材どうしの交差部に、該框材の移動を規制する規制部材が係合していることを特徴とする床構造。
【請求項４】
請求項３に記載の床構造において、
前記規制部材は、建物の柱の下端部または建物の壁の出隅コーナの下端部で構成されていることを特徴とする床構造。
【請求項５】
請求項１〜４のいずれか一項に記載の床構造において、
前記床に隣接して、前記床本体の床面と面一の床面を有する他の床が設けられていることを特徴とする床構造。 
【発明の詳細な説明】
【技術分野】
【０００１】
本発明は、床に隣接して、この床より低い土間床が設けられた床構造に関する。
【背景技術】
【０００２】
床面の高さに段差のある床構造の一例として特許文献１に記載のものが知られている。この床構造では、床面に複数の移動可能な床ユニットを並置して、床面よりも高い床面を有する可動床部を設けるようにしている。
このような床構造によれば、床ユニットを並置してなる可動床部を設けることによって床面に段差を形成しているので、床ユニットを移動させるだけで、可動床部の場所や形状を簡単に変えて、その室内の空間変化を気軽に楽しむことができる。
【先行技術文献】
【特許文献】
【０００３】
【特許文献１】特開２００２−３７１６９１号公報
【発明の概要】
【発明が解決しようとする課題】
【０００４】
ところで、上記従来の床構造では、床面をフラットにするために、可動床部を構成する床ユニットを例えば隣の部屋等に移動させると、該隣の部屋の床面に段差が生じてしまい、使い勝手が悪くなる。
また、床ユニットを収納所等に収納するには、建物内に大型の収納所を用意しなければならず、その分、建物内の居住面積が狭くなる。
【０００５】
本発明は上記事情に鑑みてなされたもので、床ユニットを移動させることによって、フラットな広い床面を得ることができるとともに、建物内の居住面積を狭めることのない床構造を提供することを課題としている。
【課題を解決するための手段】
【０００６】
上記課題を解決するために、請求項１に記載の発明は、例えば図１〜図５に示すように、床２０に隣接して、この床２０より低く、かつ該床２０と平面形状が等しい土間床１５が設けられており、
前記床２０は、床本体２１と、この床本体２１の床面２１ａに並置された複数の床ユニット２２で構成されたユニット床２３とを備えており、
前記床ユニット２２の厚さは、前記床本体２１の床面２１ａと前記土間床１５の床面１５ａとの段差にほぼ等しくなっていることを特徴とする。
【０００７】
請求項１に記載の発明によれば、床２０と土間床１５の平面形状が等しいので、ユニット床２３を構成する複数の床ユニット２２を土間床１５に移動させて、該土間床１５の床面１５ａに並置することによって、土間床１５上に複数の床ユニット２２で形成された新たな床面３３を形成できる。
そして、床ユニット２２の厚さは、床本体２１の床面２１ａと土間床１５の床面１５ａとの段差にほぼ等しくなっているので、前記新たな床面３３は床本体２１の床面２１ａと面一となり、よって、前記新たな床面３３と床本体２１の床面２１ａとならなるフラットな広い床面を得ることができる。また、床ユニット２２は土間床１５の床面１５ａに並置されるので、建物内の居住面積を狭めることもない。
【０００８】
請求項２に記載の発明は、請求項１に記載の床構造において、
前記ユニット床２３の外周を取り囲むようにして框材２５が設けられており、前記ユニット床２３の外周部を構成する前記床ユニット２２は前記框材２５に係脱可能に係合していることを特徴とする。
【０００９】
請求項２に記載の発明によれば、ユニット床２３の外周を取り囲むようにして設けられた框材２５に、ユニット床２３の外周部を構成する床ユニット２２が係脱可能に係合しているので、床本体２１の床面２１ａに並置された複数の床ユニット２２どうしが互いに離れることに起因する床ユニット２２の位置ずれを框材２５によって防止できる。
また、框材から床ユニットを外すことによって、床ユニットを土間床に容易に移動させることができる。
【００１０】
請求項３に記載の発明は、請求項２に記載の床構造において、
前記ユニット床２３が平面視四角形状となっており、
このユニット床２３の平面視における外周の四辺にそれぞれ前記框材２５が設けられており、
互い直交する框材２５，２５どうしの交差部に、該框材２５の移動を規制する規制部材２７が係合していることを特徴とする。
【００１１】
請求項３に記載の発明によれば、互い直交する框材２５，２５どうしの交差部に係合している規制部材２７によって框材２５の移動を規制できるので、ユニット床２３が床本体２１の床面２１ａから移動してずれるのを防止できる。
【００１２】
請求項４に記載の発明は、請求項３に記載の床構造において、
前記規制部材２７は、建物の柱３０の下端部または建物の壁の出隅コーナ３１の下端部で構成されていることを特徴とする。
【００１３】
請求項４に記載の発明によれば、規制部材２７が建物の柱３０の下端部または建物の壁の出隅コーナ３１の下端部で構成されているので、ユニット床２３が床本体２１の床面２１ａから移動してずれるのをより確実に防止できる。
【００１４】
請求項５に記載の発明は、前記床２０に隣接して、前記床本体２１の床面２１ａと面一の床面３２ａを有する他の床３２が設けられていることを特徴とする。
【００１５】
請求項５に記載の発明によれば、複数の床ユニット２２を土間床１５に移動させて、該土間床１５の床面１５ａに並置することによって形成される新たな床面３３と、床本体２１の床面２１ａと、他の床３２の床面３２ａとが面一となるので、前記新たな床面３３、床本体２１の床面２１ａ、他の床３２の床面３２ａとならなるフラットなより広い床面を得ることができる。
【発明の効果】
【００１６】
本発明によれば、床に隣接して、この床より低くかつ該床と平面形状が等しい土間床が設けられており、前記床は、床本体と、その床面に並置された複数の床ユニットで構成されたユニット床とを備えており、前記床ユニットの厚さは、前記床本体の床面と前記土間床の床面との段差にほぼ等しくなっているので、ユニット床を構成する複数の床ユニットを土間床に移動させて、該土間床の床面に並置することによって、土間床上に複数の床ユニットで形成された新たな床面を形成できる。
そして、床ユニットの厚さは、床本体の床面と土間床の床面との段差にほぼ等しくなっているので、前記新たな床面は床本体の床面と面一となり、よって、前記新たな床面と床本体の床面とならなるフラットな広い床面を得ることができる。また、床ユニットは土間床の床面に並置されるので、建物内の居住面積を狭めることもない。
【図面の簡単な説明】
【００１７】
【図１】本発明に係る床構造を備えた建物を示す平面図である。
【図２】本発明に係る床構造を備えた建物を示す縦断面である。
【図３】本発明に係る床構造の一例を示すもので、その平面図である。
【図４】同、要部の断面図である。
【図５】同、床ユニットと框材を示す斜視図である。
【発明を実施するための形態】
【００１８】
以下図面を参照して本発明の実施の形態について説明する。
図１は本発明に係る玄関構造を備えた建物の一例を示す１階の平面図、図２は同縦断面図である。図１において符号１は、玄関を示す。この玄関１は建物の西側に設けられており、玄関土間２、玄関ホール３、玄関ポーチ４等から構成されている。
玄関ホール３の北側に廊下５を挟んで洗面室６が設けられており、この洗面室６の西側に浴室７が設けられている。浴室７と玄関土間２との間にはトイレ８が設けられている。
また、玄関ホール３の東側に収納室９が設けられており、この収納室９の東側にダイニングキッチン１０が設けられている。このダイニングキッチン１０の南側に居間１１が設けられている。なお、玄関ホール３、廊下５、ダイニングキッチン１０、居間１１等の床レベルは等しくなっている。
【００１９】
前記玄関土間２の南側に隣接して土間１２が設けられている。この土間１２の床レベルは玄関土間２の床レベルと等しくなっている。
玄関土間２は、玄関ホール３に面して設けられた玄関ホール前土間２ａと、この玄関ホール前土間２ａと前記土間１２とを繋ぐ土間通路２ｂとを備えている。土間通路２ｂは車椅子が通れる程度の幅を有しており、この土間通路２ｂの側方には、物入れ１３，１３が土間通路２ｂを挟んで対向配置されている。この物入れ１３，１３は折り戸によって開閉されるようになっている。また、土間通路２ｂと土間１２とを仕切る壁に形成された開口部は、戸によって開閉されるようになっている。
【００２０】
図１および図２に示すように、前記土間１２の東側に隣接して部屋１６が土間１２と壁によって仕切られないようにして設けられている。つまり、土間１２と部屋１６との境界部には、引違い式の引戸が設けられ、この引戸を閉めることによって、土間１２と部屋１６とは仕切ることができるが、引戸を開けるか、または外すことによって、土間１２と部屋１６とは仕切られていない状態となる。
【００２１】
前記部屋１６の床２０に隣接して設けられた土間１２の土間床１５は、土間コンクリートによって平面視正方形状に形成されており、前記床２０と平面形状が等しくなっている。つまり、床２０と土間床１５とはそれぞれ平面視正方形状に形成されており、面積も等しくなっている。
また、床２０は土間床１５より約４００ｍｍ程度高くなっており、これによって、土間側から部屋１６の床２０に腰掛けるのに好ましいものとなっている。
前記床２０は床本体２１と、この床本体２１の床面２１ａに並置された複数（例えば９個）の床ユニット２２で構成されたユニット床２３とを備えている。
【００２２】
床本体２１は平面視正方形状に形成されており、建築用の床パネルを基礎上に複数敷設することによって構成されている。床パネルは、框材を矩形枠状に組み立てるとともに、その矩形枠内に補強桟材を縦横に組み付け、さらに、矩形枠の上面に合板等からなる面材を取り付けて構成されたものである。また、床本体２１の床面２１ａは前記土間床１５の床面１５ａより約２００ｍｍ程度高くなっている。
前記床ユニット２２は、平面視正方形状に形成されており、その厚さは床本体２１の床面２１ａと土間床１５の床面１５ａとの段差にほぼ等しくなっている。本実施の形態では、床本体２１の床面２１ａと土間床１５の床面１５ａとの段差は約２００ｍｍあるので、床ユニット２２の厚さも約２００ｍｍとなっている。
【００２３】
床ユニット２２は、図３〜図５に示すように、正方形板状に形成された床ユニット本体２２ａと、この床ユニット本体２２ａの上面に設けられた床面材２２ｂと、床ユニット本体２２ａの下面に設けられた滑り防止材２２ｃとで構成されている。
床面材２２ｂは畳材で形成されており、滑り防止材２２ｃは薄板状のゴムで形成されている。なお、床面材２２ｂとしては、畳材に限らず、例えばクッションフロアや床板材を使用しても良い。
【００２４】
上記のような床ユニット２２は、図１および図３に示すように、床本体２１の床面２１ａに、平面視において正方形を形成するようにして並置されている。つまり、９個の床ユニット２２は平面視において縦横にそれぞれ３個ずつ並列されており、縦横に隣り合う床ユニット２２，２２どうしは隙間なく当接されている。このように９個の床ユニット２２を並置することによって、平面視正方形状のユニット床２３が構成されている。
【００２５】
また、ユニット床２３の外周部を構成する８個の床ユニット２２には、平面視においてユニット床２３の四辺を構成する部分に、係合部２２ｄが形成されている。
すなわち、ユニット床２３の４つの角部に配置されている床ユニット２２を構成する床ユニット本体２２ａの外側を向く直交する二つの側面にそれぞれ係合部２２ｄが形成されており、ユニット床２３の角部に配置されている床ユニット２２，２２間に配置された床ユニット２２を構成する床ユニット本体２２ａの外側を向く一つの側面に係合部２２ｄが形成されている。
係合部２２ｄはアリ溝に係合されるアリほぞ状のものであり、床ユニット本体２２ａの側面の長手方向中央部に、該床ユニット本体２２ａの厚さ方向に延在して形成されている。
【００２６】
また、前記ユニット床２３の外周を取り囲むようにして四本の框材２５が設けられている。すなわち、ユニット床２３の平面視における外周の四辺にそれぞれ框材２５が設けられており、該框材２５はユニット床２３の四つの側面にそれぞれ隙間なく当接している。
框材２５には、前記係合部２２ｄに係合する被係合部２５ａが框材２５の長手方向に所定間隔で３つ形成されている。被係合部２５ａはアリ溝状に形成されており、この被係合部２５ａに前記係合部２２ｄが係脱可能に係合されている。これによって、ユニット床２３の外周部を構成する床ユニット２２は框材２５に係脱可能に係合している。
【００２７】
また、互いに直交する框材２５，２５どうしの交差部には、框材２５，２５の移動を規制する規制部材２７が係合している。
すなわち、ユニット床２３の平面視における二つの角部近傍にそれぞれ柱３０が立設されており、また、残り二つの角部近傍にそれぞれ建物の壁の出隅コーナ３１がそれぞれ配置されている。
柱３０，３０の間には一本の框材２５が配置されており、この框材２５の両端面はそれぞれ柱３０の下端部に圧接している。すなわち、この框材２５の長さは柱３０，３０の対向する側面間の距離より若干長くなっており、これによって、框材２５の両端面はそれぞれ柱３０の下端部に圧接している。したがって、この框材２５はその長手方向およびそれと直交する方向への移動が柱３０の下端部との圧接によって規制されている。
【００２８】
また、柱３０と出隅コーナ３１との間には、一本の框材２５が配置されており、この框材２５の一端面は柱３０の下端部に圧接しており、他端面は出隅コーナ３１の下端部の一側面に圧接している。すなわち、この框材２５の長さは、柱３０の側面と出隅コーナ３１の一側面と間の距離より若干長くなっており、これによって、框材２５の一端面が柱３０の下端部に圧接しており、他端面が出隅コーナ３１の下端部の一側面に圧接している。したがって、この框材２５はその長手方向およびそれと直交する方向への移動が柱３０の下端部との圧接および出隅コーナ３１の下端部の一側面との圧接によって規制されている。
【００２９】
さらに、出隅コーナ３１，３１の間には一本の框材２５が配置されており、この框材２５の両端面はそれぞれ出隅コーナ３１の下端部の他側面に圧接している。すなわち、この框材２５の長さは出隅コーナ３１，３１の対向する他側面間の距離より若干長くなっており、これによって、框材２５の両端面はそれぞれ出隅コーナ３１の下端部の他側面に圧接している。したがって、この框材２５はその長手方向およびそれと直交する方向への移動が出隅コーナの下端部の他側面との圧接によって規制されている。
以上のようにして、互い直交する框材２５，２５どうしの交差部には、該框材２５の移動を規制する規制部材２７としての柱３０の下端部や出隅コーナ３１の下端部が係合している。
【００３０】
また、図２に示すように、前記床２０に隣接して他の床３２が設けられている。この床３２は前記居間１１の床３２であり、建築用の床パネルを基礎上に複数敷設することによって構成されている。この床３２の床面３２ａは床本体２１の床面２１ａと面一となっている。
また、図１に示すように、玄関ホール３と部屋１６との間には廊下１７が設けられており、この廊下１７の端部の側方が土間１２に面している。この面している部分１７ａを通して、土間１２と廊下１７の行き来ができるようになっている。また、廊下１７の土間１２に面している部分１７ａの端部に、前記柱３０が設けられている。
【００３１】
上記のような床構造では、土間１２に隣接して部屋１６が該土間１２と壁によって仕切られないようにして設けられており、この部屋１６の床レベルが土間１２の床レベルより４００ｍｍ程度高くなっているので、土間側から部屋１６の床２０に腰掛けるのに好ましいものとなっている。
【００３２】
そして、この床２０が、床本体２１と、この床本体２１の床面２１ａに並置された複数の床ユニット２２で構成されたユニット床２３とを備えているので、これら複数の床ユニット２２を土間床１５に移動させて、該土間床１５の床面１５ａに並置することによって、土間床１５上に複数の床ユニット２２で形成された新たな床面３３を形成できる。
床ユニット２２を土間床１５に移動させる場合、この床ユニット２２の係合部２２ｄが框材２５の被係合部２５ａに係脱可能に係合しているので、係合部２２ｄと被係合部２５ａとの係合状態を解除して、床ユニット２２を框材２５から容易に切り離し、切り離された床ユニット２２を順次土間床１５に移動して、その床面１５ａに並置することができる。
【００３３】
床ユニット２２を土間床１５の床面１５ａに並置する場合、土間床１５の外周部に、基礎の一部、外壁の一部、内壁の一部等が配置されているので、これらの内側に床ユニット２２を配置してこれらに当接するようにして、土間床１５の床面１５ａに並置することによって、床ユニット２２を前記床面１５ａに確実に位置ずれ等を起こさせることなく設置できる。
そして、床ユニット２２の厚さは、床本体２１の床面２１ａと土間床１５の床面１５ａとの段差にほぼ等しくなっているので、前記新たな床面３３は床本体２１の床面２１ａと面一となり、よって、前記新たな床面３３と床本体２１の床面２１ａとならなるフラットな広い床面を得ることができる。また、床ユニット２２は土間床１５の床面１５ａに並置されるので、建物内の居住面積を狭めることもない。
【００３４】
さらに、複数の床ユニット２２を土間床１５に移動させて、該土間床１５の床面１５ａに並置することによって形成される新たな床面３３と、床本体２１の床面２１ａと、前記他の床３２の床面３２ａとが面一となるので、前記新たな床面３３、床本体２１の床面２１ａ、他の床３２の床面３２ａとならなるフラットなより広い床面を得ることができる。
【００３５】
また、ユニット床２３の外周を取り囲むようにして設けられた框材２５に、ユニット床２３の外周部を構成する床ユニット２２が係脱可能に係合しており、しかも各ユニット床２２の下面には滑り防止材２２ｃが設けられているので、床本体２１の床面２１ａに並置された複数の床ユニット２２どうしが互いに離れることに起因する床ユニット２２の位置ずれを框材２５や滑り防止材２２ｃによって防止できる。
また、框材２５から床ユニット２２を外すことによって、床ユニット２２を土間床１５に容易に移動させることができる。
さらに、ユニット床２３の外周の四辺にそれぞれ框材２５が設けられており、互い直交する框材２５，２５どうしの交差部に、該框材２５の移動を規制する規制部材２７としての柱３０の下端部や出隅コーナ３１の下端部が係合しているので、この規制部材２７によって框材２５の移動を規制できるので、ユニット床２２が床本体２１の床面２１ａから移動してずれるのを防止できる。
【００３６】
なお、本実施の形態では床ユニット２２を平面視正方形状に形成したが、本発明ではこれに限ることなく、床ユニット２２を並置する床本体２１の床面２１ａや土間床１５の床面１５ａの平面形状に合わせて適宜設計すればよい。
また、本実施の形態では、床ユニット２２を框材２５に係脱可能に係合したが、本発明ではこれに限ることなく、例えば、框材２５から床ユニット２２にボルト等の止着材をねじ込むことによって、床ユニット２２を框材２５に取り外し可能に固定してもよい。
【符号の説明】
【００３７】
１５  土間床
１５ａ  床面
２０  床
２１  床本体
２１ａ  床面
２２  床ユニット
２２ｄ  係合部
２３  ユニット床
２５  框材
２５ａ  被係合部
２７  規制部材
３０  柱
３１  出隅コーナ
３２  他の床
３２ａ  床面
【図１】
2010189946.tif 000003
【図２】
2010189946.tif 000004
【図３】
2010189946.tif 000005
【図４】
2010189946.tif 000006
【図５】
2010189946.tif 000007